(57)【要約】【課題】取付け時などに軒樋の前壁部が後方に湾曲して反るのを抑制し、位置合わせを容易とするとともに、良好な外観の形成を実現する軒樋止まりを提供すること。【解決手段】板体３の裏側周縁部に、軒樋２の内面に沿った形状を有する周壁片４が配設され、軒樋２の前壁部５に対向して配置される周壁片の前辺部８の上端に、軒樋の前壁部上端に設けられた前耳部１１に係合可能な前係合部１２が配設され、板体において周壁片の外側に突出する突出縁部２７の裏面に軒樋反り防止用リブ３４が突設され、軒樋反り防止用リブは、軒樋の前壁部上端部と前耳部との間の空間部に挿入可能であるとともに、前壁部または前耳部のいずれか一方または両方に接触可能である。【選択図】図１
2010053523.tif 000002
【特許請求の範囲】
【請求項１】
軒樋の端部開口を閉塞可能な大きさおよび形状を有する板体を備え、板体の裏側周縁部に、軒樋の内面に沿った形状を有する周壁片が配設され、軒樋の前壁部に対向して配置される周壁片の前辺部の上端に、軒樋の前壁部上端に前壁部から内側に離間して設けられた前耳部に係合可能な前係合部が配設された軒樋止まりであって、板体において周壁片の外側に突出する突出縁部の裏面に軒樋反り防止用リブが突設され、軒樋反り防止用リブは、軒樋の前壁部上端部と前耳部との間の空間部に挿入可能であるとともに、前壁部または前耳部のいずれか一方または両方に接触可能であることを特徴とする軒樋止まり。
【請求項２】
板体の突出縁部の裏面に軒樋差込み用リブが突設され、軒樋差込み用リブは、周壁片から軒樋の厚み分離れた周壁片の外側に位置していることを特徴とする請求項１に記載の軒樋止まり。
【発明の詳細な説明】
【技術分野】
【０００１】
本発明は、軒樋の端部開口を閉塞する軒樋止まりに関する。
【背景技術】
【０００２】
建物の軒先に設置された軒樋の終端には、蓋状の軒樋止まりが取り付けられ、軒樋の端部開口を軒樋止まりによって閉塞し、雨水の流出を防止している。
【０００３】
このような軒樋止まりについて本出願人は、これまでに各種のものを提案し、提供してきている。
【０００４】
たとえば特許文献１に記載した軒樋止まりは、軒樋の端部開口を閉塞する大きさ形状の板体の裏側周縁部分に軒樋の内面に沿う周壁片を一体に突設し、周壁片の両上端部分に軒樋の両上縁耳部に内側から係止される係合部を配設形成し、周壁片の外側面に周方向の接着剤溜まり溝を形成してなるものである。
【０００５】
上記軒樋止まりは、周壁片を軒樋の端部開口の内側に上方から嵌め込んで容易に嵌合することができ、係合部を軒樋の上縁耳部の下側に内側から係止させると、接着剤を介して軒樋の端部開口の内側に周壁片を確実に嵌合させて固着することができる。こうして、上記軒樋止まりは、軒樋に差込み式に嵌合固着される従来の軒樋止まりの施工面および製造面での種々の問題を解消し、軒樋の端部外面上に露出しないため、デザイン面での改善を図ることができる。また、接着剤溜まり溝内に溜まる接着剤によって十分な嵌合接着状態が得られ、水漏れの発生を確実に抑制することができる。
【特許文献１】特開２００３−６４８３２号公報
【発明の開示】
【発明が解決しようとする課題】
【０００６】
上記のように優れた効果を奏する特許文献１に記載した軒樋止まりではあるが、その後の検討により改善点が幾つか見出された。軒樋は、一般に弾性を有する合成樹脂や金属などの材料から形成されている。嵌合などによる設置作業の作業性を良好にするという点において、弾性は軒樋に好ましい特性であるが、場合によっては設置作業の支障になることがある。たとえば、上縁耳部が配設された軒樋の前壁部は、軒樋止まりの取付け時に、対向する後壁部に向かって後方に湾曲して反ることがある。このような反りが発生すると、上端部において前壁部の前面と軒樋止まりの板体前面との間に段差が形成され、位置合わせが難しくなり、段差をそのまま放置すれば、軒樋止まりの収まりが悪くなり、外観が低下する。上記反りは、軒樋の設置時ばかりでなく、直射日光や寒暖の変化などを受けて軒樋に経時的に発生することもある。
【０００７】
本発明は、以上の通りの事情に鑑みてなされたものであり、取付け時などに軒樋の前壁部が後方に湾曲して反るのを抑制し、位置合わせを容易とするとともに、良好な外観の形成を実現する軒樋止まりを提供することを課題としている。
【課題を解決するための手段】
【０００８】
本発明は、上記の課題を解決するために、以下の特徴を有している。
【０００９】
第１の発明は、軒樋の端部開口を閉塞可能な大きさおよび形状を有する板体を備え、板体の裏側周縁部に、軒樋の内面に沿った形状を有する周壁片が配設され、軒樋の前壁部に対向して配置される周壁片の前辺部の上端に、軒樋の前壁部上端に前壁部から内側に離間して設けられた前耳部に係合可能な前係合部が配設された軒樋止まりであって、板体において周壁片の外側に突出する突出縁部の裏面に軒樋反り防止用リブが突設され、軒樋反り防止用リブは、軒樋の前壁部上端部と前耳部との間の空間部に挿入可能であるとともに、前壁部または前耳部のいずれか一方または両方に接触可能であることを特徴としている。
【００１０】
第２の発明は、上記第１の発明の特徴において、板体の突出縁部の裏面に軒樋差込み用リブが突設され、軒樋差込み用リブは、周壁片から軒樋の厚み分離れた周壁片の外側に位置していることを特徴としている。
【発明の効果】
【００１１】
上記第１の発明によれば、軒樋反り防止用リブは、軒樋の前壁部上端部と前耳部との間の空間部に挿入され、前壁部または前耳部のいずれか一方または両方に接触するか、または接触可能であるため、軒樋の前壁部が取付け時などに後方に湾曲して反るのを接触によって抑制する。したがって、前壁部の前面と軒樋止まりの板体前面との間に段差は形成されにくく、両前面が同一面上に配置され、軒樋止まりの取付け時の位置決めが容易となる。また、軒樋止まりの収まりは良好となり、軒樋止まりが外観上目立たなく、良好な外観が形成される。
【００１２】
上記第２の発明によれば、上記第１の発明の効果に加え、軒樋差込み用リブは、嵌合状態において軒樋の前壁部の前面に圧接し、前壁部を周壁片に引き寄せるため、軒樋止まりの内側への嵌合にともない軒樋の前壁部が前方に膨らむのを抑えることができる。軒樋の前壁部と軒樋止まりの周壁片の前辺部との間における隙間の形成を抑制することができる。また、軒樋反り防止用リブによって、軒樋差込み用リブが軒樋の前壁部を引き寄せる際に、前壁部が後方に湾曲して反るのが抑制される。したがって、軒樋の前壁部前面と軒樋止まりの板体の前面との間に段差はさらに形成されにくく、両前面が同一面上に配置され、軒樋止まりの収まりは良好となる。軒樋止まりが外観上目立たなくなり、良好な外観が形成される。
【発明を実施するための最良の形態】
【００１３】
図１、図２、図３および図４は、本発明の軒樋止まりの一実施形態を示した斜視図、平面図、側面図および背面図である。図５および図６は、図１に示した軒樋止まりが軒樋に装着された状態を示した斜視図および要部断面図である。
【００１４】
軒樋止まり１は、軒樋２の端部開口を閉塞可能な大きさおよび形状を有する板体３を備えている。板体３の裏側周縁部には、軒樋２の内面に沿った樋状の形状を有する周壁片４が配設され、周壁片４は板体３と一体になっている。
【００１５】
周壁片４は、軒樋２の前壁部５、底壁部６、後壁部７にそれぞれ対向して配置される前辺部８、底辺部９、後辺部１０から形成されている。前辺部８、後辺部１０は、軒樋の前壁部５、後壁部７の傾斜具合に合わせてそれぞれ前方、後方に傾斜している。前辺部８の上端には、軒樋２の前壁部５の上端に設けられた中空状の前耳部１１に係合可能な前係合部１２が配設されている。軒樋止まり１の前係合部１２は、軒樋２の前耳部１１に外側から嵌合可能なように、断面略コ字型の形状を有し、前方に開口している。具体的には、前係合部１２は、周壁片４の前辺部８の上端から前辺部８の後方に向かって斜め上方に延設された下辺部１３と、下辺部１３の上端から立設された後辺部１４と、後辺部１４の上端から前辺部８の前方に向かって斜め上方に延設された上辺部１５とから形成されている。そして、前係合部１２は、周壁片４の前辺部８と一体になっている。
【００１６】
このような前係合部１２において、上辺部１５は、板体３寄りの位置から板体３と反対側の側端にかけて周壁片４の前辺部８の後方に向かって切り欠かれ、切欠部１６が形成されている。切欠部１６は、板体３側の端部において前辺部８の後方に向かって湾曲する湾曲部１７を有し、湾曲部１７からは直線部１８が延びている。直線部１８の湾曲部１７と反対側の端部１９は、湾曲部１７と湾曲方向と反対向きに湾曲し、前辺部８の後方へと回り込んでいる。
【００１７】
一方、前辺部８の上端に接続された下辺部１３の前端部は、他の部分よりも厚い肉厚部２０に形成され、肉厚部２０の後端には他の下辺部１３との間に段差２１が形成されている。
【００１８】
周壁片４の後辺部１０の上端には、後辺部１０の前方に向かって折曲した突片状の後係合部２２が配設されている。後係合部２２は、軒樋２の後壁部７の上端に設けられた中空状の後耳部２３の前側下端から延設された係止片２４と後壁部７との間に形成された斜め下方に開口する開口部２５に係合可能とされている。
【００１９】
そして、周壁片４の外周面には複数の接着剤溜まり溝２６が、周壁片４の周方向、幅方向にそれぞれ一定の間隔で形成されている。
【００２０】
また、軒樋止まり１では、板体３において周壁片４の外側に突出する突出縁部２７の前側に、一定の幅ｗを有する帯状体２８が形成されている。帯状体２８は、板体３に一体とされ、板体３の厚みよりも厚い厚さｔを有している。帯状体２８の側面は、板体３の表面よりも外側に突出して配置され、板体３の表面との間に段差２９を形成している。
【００２１】
また、帯状体２８は、軒樋２の外側面に略一致する形状を有している。帯状体２８の上端が、板体３の上端から若干上方に突出し、下端部３０が、軒樋２の底壁部６における前端部３１の断面形状に略一致する形状を有しており、その下端は板体３の下端よりも下側に配置されている。さらに、帯状体２８の下端部３０の後端が、周壁片４の前辺部８の前方に向かって斜め下方に切り欠かれてもいる。そして、帯状体２８の前端部には、軒樋２の前壁部５の前面に形成され、前壁部５の長さ方向に延びる横向きの化粧溝３２に対応する化粧溝３３が上下２箇所に形成されている。化粧溝３３の断面形状は化粧溝３２の断面形状に略一致し、化粧溝３３は、軒樋止まり１が軒樋２に装着された状態において化粧溝３２と連続するように帯状体２８に配置されている。
【００２２】
帯状体２８の上端部の裏面には軒樋反り防止用リブ３４が突設されている。軒樋反り防止用リブ３４は、軒樋２の前壁部５と前耳部１１との間の空間部３５に挿入可能な大きさおよび形状を有し、帯状体２８の上端部の裏面において空間部３５に対応する位置に配置されている。前耳部１１は、前壁部５の上端から軒樋２の内側にやや斜め下方に延設された上辺部３６の先端に設けられている。このため、前耳部１１は、前壁部５から軒樋２の内側に離間して配置され、前壁部５の上端部との間に空間部３５を形成している。空間部３５に挿入される軒樋反り防止用リブ３４は、軒樋２の前壁部５の上端部後面または前耳部１１の前面のいずれか一方また両方に接触するか、または接触可能に配置される。
【００２３】
また、帯状体２８の前端側の裏面には軒樋差込み用リブ３７が２つ突設されている。軒樋差込み用リブ３７は、化粧溝３３に対応する位置に配置され、化粧溝３３の内底面より前方に突出している。すなわち、軒樋差込み用リブ３７は、周壁片４の前辺部８から軒樋２の厚み分離れた周壁片４の外側に位置している。軒樋差込み用リブ３７の長さａは、たとえば帯状体２８の厚さｔ以内とすることができ、また、長さａは、前係合部１２の上辺部１５に形成された切欠部１６の湾曲部１７が板体３の裏面から離れる距離ｂよりも短くされている。言い換えると、前係合部１２の上辺部１５に形成された切欠部１６の湾曲部１７は、軒樋差込み用リブ３７よりも板体３から離れて配置されている。軒樋差込み用リブ３７は、帯状体２８の前端側の裏面ばかりでなく、板体３において周壁片４の外側に突出する突出縁部２７の後側にも配設され、突出縁部２７の裏面に略垂直に突設されている。
【００２４】
上記の軒樋止まり１は、たとえば合成樹脂などを用い、射出成形などによって一体物として作製することができる。このように合成樹脂製としても、軒樋止まり１は、軒樋差込み用リブ３７を備えているので、強度が十分高く、熱変形などが良好に抑制される。軒樋２は建物の軒先に設置されるものであり、寒暖の変化の影響を受けやすい。軒樋２に装着される軒樋止まり１も同様の寒暖の差に曝されるが、合成樹脂製であっても軒樋差込み用リブ３７の存在によって熱変形などが抑制される。また、軒樋止まり１の強度向上および熱変形などの抑制という効果は、板体３に形成された帯状体２８によってさらに高められている。
【００２５】
軒樋止まり１は、特許文献１に記載した軒樋止まりと同様に、嵌め込み式で軒樋２に装着することができ、軒樋２の端部開口を閉塞する。
【００２６】
後辺部１０を下側にし、前辺部８を上側に配置して底辺部９を斜めに傾けた状態において、周壁片４を軒樋２の端部内側に上方から差し込み、後係合部２２を軒樋２の後耳部２３の直下に形成された開口部２５内に挿入し、係合させると、後係合部２２の前端が係止片２４によって係止される。この状態において周壁片４の前辺部８側を下方に回動させると、前係合部１２が軒樋２の前耳部１１に外側から係合する。このとき、段差２１に軒樋２の前耳部１１の下端部が嵌まり込み、肉厚部２０の後端部が前耳部１１の前側下端のコーナー部を支持する。また、前係合部１２の上辺部１５が、軒樋２の前耳部１１の上辺部３６に上側から重合する。このようにして前係合部１２が軒樋２の前耳部１１に係合すると、軒樋止まり１は軒樋２の内側に嵌め込まれ、嵌合する。嵌合作業は容易である。
【００２７】
また、嵌合に併せて周壁片４の外側面には接着剤を接着剤溜まり溝２６に沿って塗布しておくことができ、接着剤溜まり溝２６に溜まる接着剤によって周壁片４の外側面が軒樋２の内面に接着され、確実かつ強固な嵌合状態が得られる。周壁片４の外側面と軒樋２の内面との間が接着剤によって封止され、水漏れが十分に抑制される。
【００２８】
嵌合状態において軒樋反り防止用リブ３４は、軒樋２の前壁部５の上端部と前耳部１１との間の空間部３５に挿入され、前壁部５の上端部後面または前耳部１１の前面のいずれか一方または両方に接触するか、または接触可能とされる。このため、軒樋２の前壁部５が取付け時などに後方に湾曲して反るのが接触によって抑制される。したがって、軒樋２の前壁部５の前面と軒樋止まり１の板体３の前面との間に段差は形成されにくく、両前面が同一面上に配置され、軒樋止まり１の取付け時の位置決めが容易となる。また、軒樋止まり１の収まりは良好となり、軒樋止まりが外観上目立たなく、良好な外観が形成される。軒樋反り防止用リブ３４は、また、軒樋２が直射日光や寒暖の変化の影響などを受けて同じように後方に湾曲して反るのを抑制することができる。
【００２９】
また、嵌合状態において軒樋差込み用リブ３７は、帯状体２８の裏面に突設されたものは軒樋２の前壁部５に形成された化粧溝３２内に収まり、化粧溝３２の内底面に圧接して軒樋２の前壁部５を周壁片４に引き寄せる。このため、軒樋止まり１の内側への嵌合にともない軒樋２の前壁部５が前方に膨らむのを抑えることができる。軒樋２の前壁部５と軒樋止まり１の周壁片４の前辺部８との間における隙間の形成を抑制することができる。また、軒樋反り防止用リブ３４は、軒樋差込み用リブ３７が軒樋２の前壁部５を引き寄せる際に、前壁部５が後方に湾曲して反るのも抑制することができる。したがって、軒樋２の前壁部５の前面と軒樋止まり１の帯状体２８の前面との間に段差はさらに形成されにくく、しかも、帯状体２８は、軒樋２の外側面に略一致する形状を有しているので、軒樋２の前壁部５の前面と軒樋止まり１の帯状体２８の前面が同一面上に配置され、軒樋止まり１の収まりは良好となる。軒樋止まり１が外観上目立たなくなり、良好な外観が形成される。また、接着剤による密着性が向上する。同様にして、板体３の後側の突出縁部２７に突設された軒樋差込み用リブ３７は、軒樋２の後壁部７の後面に圧接し、後壁部７を周壁片４に引き寄せることができる。
【００３０】
なお、軒樋止まり１の装着に際しては、前係合部１２の上辺部１５に形成された切欠部１６の湾曲部１７が軒樋止まり１を軒樋２に嵌め込むときの目安となる。上記の通り、前係合部１２の上辺部１５に形成された切欠部１６の湾曲部１７は、軒樋差込み用リブ３７よりも板体３から離れて配置され、ａ＜ｂの関係にある。湾曲部１７を目安にすると、軒樋止まり１を、軒樋２の端部開口から一定の距離だけ離れた位置において軒樋２に嵌め込むことができ、帯状体２８を含めた板体３の突出縁部２７の裏面から突出している軒樋差込み用リブ３７に軒樋２の前壁部５が被さることがない。このように、軒樋差込み用リブ３７が軒樋２の前壁部５と干渉しないため、周壁片４の前辺部８と軒樋２の前壁部５との間に隙間が形成されるのを抑制することができる。隙間の形成にともなう水漏れの危険性が軽減される。
【００３１】
軒樋止まり１は、軒樋２の端部開口から一定の距離だけ離れた位置において軒樋２の端部に嵌め込まれた後、軒樋２の端部開口側に引き寄せることにより装着を完了することができる。
【００３２】
このとき、上記の通り、帯状体２８の裏面に突設された軒樋反り防止用リブ３４は、軒樋２の前壁部５の上端部と前耳部１１との間の空間部３５に挿入され、前壁部５の上端部後面または前耳部１１の前面のいずれか一方または両方に接触するか、または接触可能とされる。軒樋反り防止用リブ３４の接触によって、軒樋２の前壁部５が取付け時などに後方に湾曲して反るのが抑制される。
【００３３】
また、軒樋差込み用リブ３７は、軒樋２の前壁部５に形成された化粧溝３２内に収まり、化粧溝３２の内底面に圧接し、板体３の後側の突出縁部２７に突設された軒樋差込み用リブ３７は、軒樋２の後壁部７の後面に圧接する。帯状体２８の裏面に突設された軒樋差込み込用リブ３７は、軒樋２の前壁部５に形成された化粧溝３２内に収まるため、外観上目立たず、外観の低下が抑制される。
【００３４】
このようにして軒樋止まり１が、軒樋２の端部に装着され、端部開口を閉塞する状態においては、前係合部１２の上辺部１５は、軒樋２の前耳部１１の上辺部３６の上側に重合している。上辺部１５には、上記の通りの切欠部１６が形成されているので、上辺部１５が軒樋２の前耳部１１の上辺部３６に上側から重合しても、前耳部１１の上辺部３６に降りかかる雨水を、図２図中に二点鎖線で示したように、切欠部１６によって軒樋２内に導き、流し落とすことができる。軒樋２の前耳部１１の上辺部３６に降りかかる雨水が、軒樋２の端面と軒樋止まり１の板体３の裏面との間に流れ込むのが抑制され、軒樋２から下に滴り落ちることが抑制される。しかも、切欠部１６は、板体３側の端部に湾曲部１７を有しているので、湾曲部１７において雨水を軒樋２内に確実に誘い込むことができ、雨水はスムーズに軒樋２内に流れ込む。軒樋止まり１の板体３側に流れるのが十分に抑制される。また、切欠部１６の直線部１８における湾曲状の端部１９によって雨水は軒樋２内にさらに誘い込まれることになる。
【００３５】
そして、軒樋止まり１では、帯状体２８によって板体３の表面に降りかかる雨水を水切りすることができる。板体３の表面に降りかかる雨水は風などによって軒樋２の前壁部５側に回り込みやすいが、帯状体２８は、側面が板体３の表面から外側に突出し、板体３との間に段差２９を形成しているため、板体３の表面に降りかかった雨水は段差２９を乗り越えにくい。図４図中に二点鎖線で示したように、雨水は、帯状体２８の後端縁に沿って流れ落ち、軒樋２の前壁部５側へ回り込むのが抑制される。また、帯状体２８の下端部３０は、板体３の下端よりも下側に突出しているので、帯状体２８の後端縁に沿って流れ落ちる雨水は、下端部３０によって良好に水切りされ、下方に落下する。また、下端部３０の後端が、周壁片４の前辺部８の前方に向かって斜め下方に切り欠かれているため、水切り効果が高い。
【００３６】
このような軒樋止まり１は本発明の一実施形態であり、本発明の軒樋止まりにおいて板体および周壁片の形状などは様々な態様が可能である。たとえば特許文献１に記載した軒樋止まりと同様な板体および周壁片とすることも本発明は包含している。
【図面の簡単な説明】
【００３７】
【図１】本発明の軒樋止まりの一実施形態を示した斜視図である。
【図２】図１に示した軒樋止まりの平面図である。
【図３】図１に示した軒樋止まりの側面図である。
【図４】図１に示した軒樋止まりの背面図である。
【図５】図１に示した軒樋止まりが軒樋に装着された状態を示した斜視図である。
【図６】図５に示した軒樋止まりの装着状態の要部断面図である。
【符号の説明】
【００３８】
１  軒樋止まり
２  軒樋
３  板体
４  周壁片
５  前壁部
８  前辺部
１１  前耳部
１２  前係合部
２７  突出縁部
３４  軒樋反り防止用リブ
３５  空間部
３７  軒樋差込み用リブ
【図１】
2010053523.tif 000003
【図２】
2010053523.tif 000004
【図３】
2010053523.tif 000005
【図４】
2010053523.tif 000006
【図５】
2010053523.tif 000007
【図６】
2010053523.tif 000008